(57)【要約】【課題】循環ダクトに流れる風の向きに対し、水の流れは逆になっているため、稀に循環している風により冷却している水が上側方向へ巻き上がってしまい、乾燥フィルタが濡れたまま運転終了しまうことがある。このため、乾燥フィルタ及び底面に巻き上がった水が残ってしまい、使用者に掃除の手間や不快な思いを招来することとなり好ましくない。【解決手段】循環ダクトの壁面に冷却水を導くための複数個の除湿リブを設け、この除湿リブを循環ダクト上部の冷却ノズルの冷却水出口から循環ダクト下部まで形成する。【選択図】図６
2018079172.tif 000002
【特許請求の範囲】
【請求項１】
乾燥時に内部が乾燥室となる外槽と、前記外槽内に回転自在に配置され洗濯物を収容する洗濯兼脱水槽と、前記洗濯兼脱水槽を駆動する電動機を含む駆動手段と、前記外槽を支持し外装を構成する筐体と、前記洗濯兼脱水槽に乾燥用の風を送風するための乾燥機構を備えた洗濯乾燥機において、
前記乾燥機構は、前記洗濯兼脱水槽に向けて開口する出口と前記外槽に向けて開口する入口を有する送風通路と、前記送風通路の途中に設けられたヒータ及び風の流れから見て前記ヒータの上流側に設けられた送風ファンと、前記入口と前記送風ファンとの間に設けた循環ダクトと該循環ダクト内に設けた冷却水供給部とで構成され、
前記循環ダクトの壁面に、前記冷却水供給部からの冷却水を流すための除湿リブを複数個設けたことを特徴とした洗濯乾燥機。
【請求項２】
請求項１に記載の洗濯乾燥機において、
前記冷却水供給部は、冷却水分配部と該分配部に下部に設けた冷却ノズルとで構成され、前記冷却水供給部を前記循環ダクト内に取り付けた状態で前記冷却ノズルは前記循環ダクトの壁面に向かい開口していることを特徴とする洗濯乾燥機。
【請求項３】
請求項２に記載の洗濯／乾燥機において、
前記冷却ノズルは複数個で構成され、一列に並べられて配置されていることを特徴とする洗濯衣類乾燥機。
【請求項４】
請求項１に記載の洗濯乾燥機において、
前記循環ダクトは、前記外槽背面に縦方向に設置されており、
前記除湿リブは前記冷却ノズルから前記送風通路の入口付近まで延びるよう設けたことを特徴とする洗濯乾燥機。
【請求項５】
請求項３及び４記載の洗濯機において、
【請求項６】
請求項３または４に記載の洗濯乾燥機において、
前記除湿リブは、前記冷却水ノズルとほぼ同じ位置まで形成してあることを特徴とする洗濯乾燥機。
【請求項７】
請求項５記載の洗濯乾燥機において、
前記冷却水ノズルは、前記除湿リブに隣接して設け、一つの冷却水ノズルに対して一つの冷却水流路を形成するよう、前記除湿リブを配置したことを特徴とする洗濯乾燥機。
【発明の詳細な説明】
【技術分野】
【０００１】
本発明は衣類等を洗濯した後に乾燥用の空気を供給して衣類を乾燥する洗濯乾燥機に関するものであり、洗濯、すすぎ及び脱水を行う洗濯兼脱水槽に衣類等を乾燥させる暖められた空気を供給し、この空気を循環または機外へ排出させて衣類を乾燥する送風通路を備えた洗濯乾燥機に関するものである。
【背景技術】
【０００２】
洗濯乾燥機による衣類の乾燥は、洗濯兼脱水槽を回転する電動機や送風ファンの電動機等の構成部品から発生する廃熱、及び/或いはヒータ等の専用熱源からの熱を単独、或いは組み合わせて乾燥用の暖かい空気を作り出し、この暖められた空気を送風ファンによって温風の状態にして回転ドラム内の衣類へ高速で吹きつけて“しわ”の発生を抑制しつつ乾燥を行うようにしている。
【０００３】
この時、温風によって衣類の残留水分から蒸発した水蒸気が発生するため、この水蒸気を除去してやることが必要である。
【０００４】
このための手法として外槽内に配置された循環ダクトの内部に低温度の冷却水を流すことによって、水蒸気を含んだ温風を冷却することで、水蒸気の水分を結露させて水分を除去する水冷除湿方式が提案されている。このような構成の洗濯乾燥機は特開２０１０−８２３４６号公報(特許文献１)にその詳細が説明されている。
【先行技術文献】
【特許文献】
【０００５】
【特許文献１】特開２０１０−８２３４６号公報
【発明の概要】
【発明が解決しようとする課題】
【０００６】
上記特許文献１に記載の洗濯乾燥機は、洗濯兼脱水槽内の脱水が終了した衣類にヒータ等の専用熱源で暖められた空気（以下、風と表現する）を温風吹き出し口から吹き付けるようにしており、洗濯兼脱水槽内を含む送風経路によって風を循環している。
【０００７】
前記送風経路は、送風ファン、熱源、送風ファンと外槽を接続する循環ダクト、送風ファンと温風吹き出し口を接続する送風ダクト等で構成されている。循環ダクトには、衣類から出た水蒸気を含んだ温風を冷却水で冷却することで、水蒸気の水分を結露させて水分を除去する水冷除湿方式を備えている。除湿方法としては前記循環ダクトの上方に設けた冷却ノズルから循環ダクトの壁面に沿って下方向に一定量の水を流す方式としている。循環ダクトを流れる風の向きは下側から上側であるのに対し、水の流れは逆になっている。このため、稀に循環ダクトの成形状態による表面のぬれ性や本体の構造、循環ダクトの形状、風の乱れ方、冷却水の流量や流下状態などで、循環している風により冷却水が上側方向へ巻き上がってしまうことがある。巻き上がった水は、乾燥ダクトの上側に設置されている衣類から出た糸屑を捕集する乾燥フィルタを濡らしてしまい、乾燥フィルタが濡れたまま運転終了している場合がある。
【０００８】
このため、乾燥フィルタ及び乾燥フィルタを収容する部屋の底面に巻き上がった水が残ってしまい、使用者に掃除の手間や不快な思いを招来することとなり好ましくない。
【０００９】
本発明の目的は、循環ダクトの壁面を流れ落ちる冷却水が送風の風により巻き上がらないようにしつつ、安定した除湿を行うことが出来る洗濯乾燥機を提供すことにある。
【課題を解決するための手段】
【００１０】
本発明の特徴は、その一例として、乾燥時に内部が乾燥室となる外槽と、前記外槽内に回転自在に配置され洗濯物を収容する洗濯兼脱水槽と、前記洗濯兼脱水槽を駆動する電動機を含む駆動手段と、前記外槽を支持し外装を構成する筐体と、前記洗濯兼脱水槽に乾燥用の風を送風するための乾燥機構を備えた洗濯乾燥機において、前記乾燥機構は、前記洗濯兼脱水槽に向けて開口する出口と前記外槽に向けて開口する入口を有する送風通路と、前記送風通路の途中に設けられたヒータ及び風の流れから見て前記ヒータの上流側に設けられた送風ファンと、前記入口と前記送風ファンとの間に設けた循環ダクトと該循環ダクト内に設けた冷却水供給部とで構成され、前記循環ダクトの壁面に、前記冷却水供給部からの冷却水を流すための除湿リブを複数個設けたことにある。
【００１１】
また、前記冷却水供給部は、冷却水分配部と該分配部に下部に設けた冷却ノズルとで構成され、前記冷却水供給部を前記循環ダクト内に取り付けた状態で前記冷却ノズルは前記循環ダクトの壁面に向かい開口している。
【００１２】
さらに、前記冷却ノズルは複数個で構成され、一列に並べられて配置されている。
【００１３】
また、前記循環ダクトは、前記外槽背面に縦方向に設置されており、前記除湿リブは前記冷却ノズルから前記送風通路の入口付近まで延びるよう設けた。
【００１４】
また、前記除湿リブは、前記冷却水ノズルとほぼ同じ位置まで形成してある。
【００１５】
さらに、前記冷却水ノズルは、前記除湿リブに隣接して設け、一つの冷却水ノズルに対して一つの冷却水流路を形成するよう、前記除湿リブを配置した。
【発明の効果】
【００１６】
本発明によれば、循環ダクトの壁面に除湿リブを設けることにより、冷却ノズルから下側壁面に流した冷却水が、循環ダクトを流れる風により巻き上がるのを防止できる。
【図面の簡単な説明】
【００１７】
【図１】本発明のドラム式洗濯乾燥機を示す外観図である。
【図２】本発明のドラム式洗濯乾燥機の筐体の一部を切断し内部構造を示す斜視図である。
【図３】本発明のドラム式洗濯乾燥機の筐体の背面カバーを外して内部構造を示す背面図である。
【図４】本発明のドラム式洗濯乾燥機の上面カバーを外して内部構造を示す平面図である。
【図５】本発明のドラム式洗濯機の内部構造を示す側面図である。
【図６】外槽背面内側に設けた循環ダクト部を示す正面図である。
【図７】循環ダクトの断面図である（図６のＡ−Ａ断面）。
【図８】循環ダクトの断面図である（図６のＢ−Ｂ断面）。
【図９】図７のＣ−Ｃ断面図で、冷却水ノズル部の詳細図である。
【図１０】除湿リブがない場合の循環ダクト内の冷却水の流れを示す模擬図である。
【発明を実施するための形態】
【００１８】
以下、本発明の一実施例を図面に基づき詳細に説明する。先ず洗濯乾燥機の構成について説明する。
【００１９】
図１はドラム式洗濯乾燥機の外観図であり、図２は内部の構造を示すために筐体の一部を切断して斜め前方から見た斜視図、図３は内部構造を示すためにカバーを外した背面図、図４は内部構造を示すために上面カバーを外した平面図、図５は内部の構造を示す側面図である。
【００２０】
各図において、参照番号１は外郭を構成する筐体であり、筐体１は四角形状のベース１ｈの上に取り付けられており、左右の側板１ａ、１ｂ、前面カバー１ｃ、背面カバー１ｄ、上面カバー１ｅ、下部前面カバー１ｆで構成されている。
【００２１】
左右の側板１ａ、１ｂはコの字型の上補強材１ｊ、前補強材１ｋ、後補強材１ｇで結合されており、ベース１ｈを含めて箱状の筐体１を形成し、筐体として十分な強度を有している。
【００２２】
参照番号９は前面カバー１ｃの略中央に設けた衣類を出し入れするための投入口を塞ぐドアで、前補強材に設けたヒンジで開閉可能に支持されている。ドアに設けられたドア開放レバー９ｄを握るとロック機構（図示せず）が外れてドア９が開き、ドア９を前面カバー１ｃに押し付けることでロックされて閉じられる。
【００２３】
参照番号６は筐体１の上部右側に設けた操作パネルで、電源スイッチ１２、操作スイッチ１３、及び表示器１４を備えており、操作パネル６は筐体１上部に設けた制御装置１１に電気的に接続している。
【００２４】
参照番号３は回転可能に支持された円筒状の洗濯兼脱水槽（回転ドラム）であり、その外周壁および底壁に通水および通風のための多数の貫通孔を有し、前側端面に衣類を出し入れするための開口部３ａを設けてある。
【００２５】
開口部３ａの外側には洗濯兼脱水槽３と一体の流体バランサ３ｃを備えている。外周壁の内側には軸方向に延びるリフタ３ｂが複数個設けてあり、洗濯、乾燥時に洗濯兼脱水槽３を回転すると、衣類はリフタ３ｂと遠心力で外周壁に沿って持ち上がり、重力で落下するように動きを繰り返す。洗濯兼脱水槽３の回転中心軸は、水平または開口部３ａ側が高くなるように傾斜している。
【００２６】
参照番号２は円筒状の外槽であり、洗濯兼脱水槽３を同軸上に内包し、前面は開口し、後側端面の外側中央にモータ４を取り付ける。モータ４の回転軸は、外槽２を貫通し、洗濯兼脱水槽３の底壁中央と結合している。
【００２７】
前面の開口部には外槽カバー２ｄを設け、外槽内への貯水を可能としている。外槽カバー２ｄの前側中央には、衣類を出し入れするための開口部２ｃを有している。本開口部２ｃと前補強材に設けた開口部はゴム製のベローズ１０で接続しており、ドア９を閉じることで外槽２を水封する。
【００２８】
外槽２底面最下部には排水口２ｂが設けてあり、排水ホース２６が接続している。排水ホース２６の途中には排水弁２５が設けてあり、排水弁を閉じて給水することで外槽２に水を溜め、排水弁を開いて外槽２内の水を機外へ排出する。外槽カバー２ｄの前側外周部にはオーバーフロー口２ｅを有しており、オーバーフローホースで排水弁２５の下流側で排水ホース２６に接続している。
【００２９】
外槽２は、下側をベース１ｈに固定されたサスペンション５（コイルばねとダンパで構成）で防振支持されている。また、外槽２の上側は上部補強部材に取り付けた補助ばね（図示せず）で支持されており、外槽２の前後方向へ倒れを防ぐ。
【００３０】
参照番号１９は筐体１内の上部左側手前に設けた洗剤容器で、その上に開閉式のフタ７があり、その中に洗剤容器１９を装着する。開閉式のフタ７は、下に押すことでフタ７のロックが解除され、バネ（図示せず）の力で図２中二点点鎖線で示すように開く。洗剤容器１９は筐体１の上補強材に固定されている。洗剤容器１９は、複数の部屋に仕切られており、粉末洗剤、液体洗剤、柔軟仕上げ剤などを投入できるようになっている。
【００３１】
洗剤容器１９の後ろ側には、給水電磁弁１６や風呂水給水ポンプ１７、水位センサ（図示せず）など給水に関連する部品を設けてある。上面カバー１ｅには、水道栓からの給水ホース接続口１６ａ、風呂の残り湯の吸水ホース接続口１７ａが設けてある。給水電磁弁１６は、洗剤給水弁、柔軟仕上げ剤給水弁、冷却水給水弁、ダクト洗浄水給水弁など複数の弁で構成されている。洗剤給水弁と洗剤容器１９の洗剤投入室と、柔軟仕上げ剤給水弁は洗剤容器１９の柔軟剤投入室と給水ホースで接続されている。洗剤容器１９は、外槽２にゴム蛇腹（図示せず）を介して接続されており、洗剤給水電磁弁や柔軟仕上げ剤給水弁を開く、あるいは風呂水給水ポンプを運転することで、外槽２に洗濯水を供給する。
【００３２】
参照番号２９は外槽２の背面内側を凹ませて縦方向に設置した循環ダクトであり、循環ダクト下部は外槽２の背面下方まで通っている。循環ダクト２９を覆うように外槽２の背面内側面と略面一となるようにダクトカバー２３を取り付けることで、循環ダクト２９に風が流れる風路が構成される。ダクトカバー２３の縦方向長さは、循環ダクト２９の縦方向長さより短くしてあり、循環ダクト２９の下方に空気の吸気口２ａを形成している。循環ダクト２９内の上側には、水冷除湿機構２１を内蔵しており、冷却水ホース２２で冷却水給水電磁弁と接続され、給水電磁弁を開くことで水冷除湿機構２１へ冷却水を供給する。冷却水は循環ダクト２９の壁面を伝わって流下し吸気口２ａから外槽２に入り排水口２ｂから排出される。循環ダクト２９や水冷除湿機構２１の詳細については、後で説明する。
【００３３】
循環ダクト２９の上部は、筐体１内の後方上部に斜方向に設置したフィルタダクト２７にゴム蛇腹２４で接続している。フィルタダクト２７のゴム蛇腹２４接続部の上側には洗浄水給水口を設けてあり、洗浄ホースでダクト洗浄水給水電磁弁と接続されている。ダクト洗浄水給水電磁弁を開くことで、ゴム蛇腹２４内や循環ダクト２９内に洗浄水を供給する。洗浄水はゴム蛇腹２４や循環ダクト２９の壁面を伝わって流れ、これらの壁面に付着した埃を流し落とす。フィルタダクト２７の上面には開口部を有しており、この開口部に引き出し式の乾燥フィルタ８を挿入してある。
【００３４】
循環ダクト２９からフィルタダクト２７へ入った空気は、乾燥フィルタ８のメッシュフィルタ８ａに流入し糸くずが除去される。乾燥フィルタ８の掃除は、乾燥フィルタ８を引き出して手やブラシ、または掃除機等で行い、メッシュ式のフィルタ８ａ表面に付着した糸くずを取り除く。フィルタダクト２７の乾燥フィルタ８挿入部の側面には開口部が設けてあり、この開口部は送風ユニット２８の吸気口と接続している。
【００３５】
送風ユニット２８は、駆動用のモータ２８ａ、ファン羽根車（図示せず）、ファンケース２８ｂで構成されている。ファンケース２８ｂにはヒータ３１が内蔵されており、ファン羽根車から送られる空気を加熱する。
【００３６】
ヒータ３１は、入力切り換えが可能で、本実施例のヒータでは強モードと弱モードを有している。送風ユニット２８の吐出口は温風ダクト３０に接続する。温風ダクト３０は、ゴム製の蛇腹管３０ａ、蛇腹管継ぎ手３０ｂを介して外槽カバー２ｄに設けた前部吹出し口３２に接続している。
【００３７】
本実施例では、送風ユニット２８が筐体１内の上部右側に設けてあるので、前部吹出し口３２は外槽カバー２ｄの右斜め上の位置に設け、前部吹出し口３２までの距離を極力短くするようにし、圧力損失や熱の逃げを最小限にしてある。
【００３８】
排水口２ｂ、送風ユニット２８の吸気口及び吐出口には温度センサ（図示せず）が設けてある。
【００３９】
以上が洗濯乾燥機のおおよその構成であり、乾燥時の循環空気の流れを太い矢印の流線で示す。送風ユニット２８を運転し、ヒータ３１に通電すると、前部吹き出し口３２から洗濯兼脱水槽３内に温風が吹き込み（矢印４１）、湿った衣類に当たり、衣類を温め衣類から水分が蒸発する。乾燥運転中は、洗濯兼脱水槽３を正逆回転させているので、衣類はリフタ３ｂにより前部吹き出し口３２の付近まで持ち上がり落下する動きを繰り返し、衣類に温風が万遍なく当たる。衣類から蒸発した水分を含んで高温多湿となった空気は、洗濯兼脱水槽３に設けた貫通孔から外槽２に流れ、吸気口２ａから循環ダクト２９に吸い込まれ、循環ダクト２９を下から上へ流れる（矢印４２）。循環ダクト２９の壁面には、水冷除湿機構２１からの冷却水が流れ落ちており、高温多湿の空気は冷却水と接触することで冷却除湿され、乾いた低温空気となりフィルタダクト２７へ入る（矢印４３）。フィルタダクト２７に設けた乾燥フィルタ８のメッシュフィルタ８ａを通り糸くずが取り除かれ、吸気ダクト３３に入り、送風ユニット２８に吸い込まれる（矢印４４）。そして、ヒータ３１で再度加熱され、洗濯兼脱水槽３内に吹き込むように循環する。
【００４０】
次に本発明になる循環ダクト２９の除湿リブ構造及び水冷除湿機構について図６から図９を用いて説明する。
【００４１】
図６は外槽背面内側に設けた循環ダクト正面図で、（ａ）はダクトカバーを取り付けた状態を、（ｂ）はダクトカバーを取り外した状態を示している。図７は図６のＡ−Ａ断面図、図８は図６のＢ−Ｂ断面図、図９は図７のＣ−Ｃ断面図である。
【００４２】
循環ダクト２９は、上述したように外槽２の背面を凹ませて、背面の径方向の垂直中心軸から水平方向にずれた位置に略垂直方向に形成されている。循環ダクト２９の水平断面形状は、図８に示すように外槽２の背面後ろ側に飛び出した矩形状で、左右の壁面２９ａ、２９ｂと底面２９ｃとで囲まれ、外槽２の内側は開口している。この開口部２９ｄを覆うようにダクトカバー２３を外槽２の背面に取り付けることで、４面で囲まれた風路２９ｅを形成している。なお、外槽２の内側面とダクトカバー２３の表面はほぼ面一にしてあり、洗濯兼脱水槽３が高速回転する脱水時に発生する風の流れによる風損や騒音の増加を抑えている。ダクトカバー２３は、開口部２９ｄの上下方向長さより短くし、循環ダクト２９の下方に吸気口２ａを設けてある。循環ダクト２９の底面２９ｃの深さは、循環ダクト２９の下部で徐々に浅くなり、外槽２の背面の内側面にスムーズに接続している。また、循環ダクト２９の下部は略垂直であるが、上部で外槽２の垂直中心軸側に曲がるように形成してある。これは、円形の外槽２の底部外周と循環ダクト２９との距離を保つためと、フィルタダクト２７や乾燥フィルタ８、送風ユニット２８などを筐体１内の右上部空間内にコンパクト収容するためである。すなわち、フィルタダクト２７と乾燥フィルタ８を筐体１内の中央寄りに設置し、その外側（側板１ａ側）に並べて送風ユニット２８を設置することが可能となり、前後方向、幅方向ともにコンパクトに実装できる。
【００４３】
循環ダクト２９の底面２９ｃには、左右の壁面２９ａ、２９ｂとほぼ平行に凸状の複数本の除湿リブ２９ｆが形成されている。循環ダクト２９の最上部には、水冷除湿機構２１が内蔵されている。水冷除湿機構２１は、内部に冷却水の分配部（空洞）２１ａを有し、分配部２１ａの上面に冷却水給水電磁弁からの冷却水ホースの接続口２１ｃが設けてある。分配部の下面は水平になっており、複数個の冷却水ノズル（小孔）２１ｂが一列に並べて形成されている。除湿リブ２９ｆは、冷却水ノズル２１ｂの出口とほぼ同じ位置まで形成してある。本実施例では、冷却水ノズル２１ｂの数が４個、除湿リブ２９ｆの本数が８本の場合について示してある。除湿リブ２９ｆの間隔は、上部では広いが途中から一定の間隔となっており、冷却水が流れる４本の流路２２ａから２２ｄが形成されている。冷却水ノズル２１ｂは、各流路の左側の除湿リブの近傍に設けてあり、かつ、冷却水ノズル２１ｂは循環ダクト２９の底面２９ｃに向かい開口している。冷却水ノズル２１ｂから出た冷却水は、冷却水の表面張力で左側の除湿リブに沿って流下し、途中から左右の除湿リブ間を蛇行しながら流下する。このため、冷却水ノズル２１ｂから出た冷却水が風で巻き上げられることがない。さらに、循環ダクト２９の下側から流れてくる乾燥用の空気に含まれる糸くずなどのごみが冷却水ノズル２１ｂの小孔を塞ぐことがない。除湿リブ２９ｆの間隔と高さは、流下する冷却水が除湿リブ２９ｆを越えないように設定してある。例えば、本実施例の冷却水給水電磁弁の流量は、水道水圧により０．２Ｌ／ｍｉｎから０．５Ｌ／ｍｉｎの間で変化するが、最大流量０．５Ｌ／ｍｉｎでも除湿リブ２９ｆを越えないよう、流路２２ａから２２ｄの幅ｓを３乃至５ｍｍ、除湿リブ２９ｆの高さｈを３乃至５ｍｍとしてある。
【００４４】
ここで、除湿リブ２９ｆの効果を説明するために、除湿リブがない場合の冷却水の流下状態を図１０を用いて説明する（図中の実線矢印が冷却水の流れを示す）。複数個設けられている冷却ノズル２１ｂの穴から出た冷却水は、循環ダクト２９の底面２９ｃの表面に沿って流下する。冷却水の流れ方方向は基本的には下向きであるが、左右に蛇行しながら流下し、蛇行の状態は時々刻々変化し、時には冷却水が合流する場合もある。また、循環ダクト２９の上部は外槽２の垂直中心軸側に曲がるように形成してあるため、循環ダクト２９の左壁面２９ｂの上部２９ｂ１の上方に、複数個の冷却ノズル２１ｂの一部が配置されることになる。図１０の例では、４個の冷却水ノズルのうちの２個が左壁面２９ｂ１の上方に位置している。このため、冷却ノズル２１ｂから流下する冷却水の一部は、左壁面２９ｂ１に集まってしまい、左壁面に沿って流下する可能性が高い。このようになると、循環ダクト２９の壁面を冷却水で有効に冷却できなくなり、高温多湿の温風の除湿量が減り、乾燥効率が低下してしまう。また、上記曲り部において、流れ方向が下向きに変化するが、複数本の冷却水が集中して流量が増えると、左壁面２９ｂから流れが剥離しやすい。このとき、循環ダクト内を下から流れる風（破線矢印４２）により冷却水の一部が壁面から剥離して巻き上げられてしまい、風とともに流されて乾燥フィルタ８に飛散し、さらに乾燥効率を低下させてしまう。さらに、乾燥終了時に乾燥フィルタ８やフィルタダクト２７の底面に巻き上がった水が残ってしまい、使用者に掃除の手間や不快な思いを招くこととなる。
【００４５】
これに対して、本実施例においては、各冷却水ノズル２１ｂからの冷却水は、各々が複数本の除湿リブ２９ｆで形成される流路２２ａから２２ｄ内に分配されて流下する。このため、冷却水は循環ダクト２９の底面２９ｃの広い面積を流下するため、除湿性能が悪化することがない。さらに、上述のように冷却水が除湿リブ２９ｆを越えないように流路２２ａから２２ｄの寸法としているため、冷却水が風で巻き上げられることがない。流路２２から２２ｄの左右に除湿リブを設けてあるため、除湿リブの壁面と冷却水との界面張力で、冷却水が除湿リブの壁面から剥離しにくいといる利点もある。
【００４６】
循環ダクト２９の冷却水の流下面（本実施例では底面２９ｃ）に、図７で示すような曲がり部がる場合、冷却水が曲がり部で循環ダクト２９の底面２９ｃから剥離し、冷却水の巻き上がりの可能性がある。この場合、曲がり部をなだらかな曲線で形成することで、冷却水の流れ方向の急な変化を抑え、冷却水の剥離を防止できる。また、本実施例では、除湿リブ２９ｆも循環ダクト２９に沿って曲がっている。この場合、冷却水が流れ方向変化による慣性力で除湿リブ２９ｆを越えないよう、曲がり部の除湿リブ２９ｆの高さを高くするとよい。
【００４７】
なお、本実施例では、循環ダクトの壁面に凸形状の除湿リブを設け、除湿リブで冷却水の流路を形成したが、循環ダクト壁面を凹ませて流路を形成してもよい。
【００４８】
また、本実施例では冷却水ノズル２１ｂの数が４個、除湿リブ２９ｆの本数が８本と、リブ間を流しているが、冷却水ノズルの数を６個にし、全てのリブに流れる形状にしてもよい。更に、冷却ノズル穴径を調整することで、同じ流量でも除湿効果を上げることが可能である。
【００４９】
以上に述べたように、本発明においては循環ダクトを流下する冷却水が風で巻き上がることがなく、かつ除湿ダクトの壁面の広い範囲を安定して冷却水が流下し、安定した除湿性能の洗濯乾燥機を提供することができる。
【符号の説明】
【００５０】
１…筐体、２…外槽、３…洗濯兼脱水槽（回転ドラム）、４…モータ、６…操作パネル、８…乾燥フィルタ、９…ドア、１６…給水電磁弁２１…水冷除湿機構、２１ｂ…冷却水ノズル、２２…冷却水ホース２２ａ〜２２ｄ…流路、２３…ダクトカバー２７…フィルタダクト、２８…送風ユニット、２９…循環ダクト、２９ｆ…除湿リブ、３０…温風ダクト
【図１】
2018079172.tif 000003
【図２】
2018079172.tif 000004
【図３】
2018079172.tif 000005
【図４】
2018079172.tif 000006
【図５】
2018079172.tif 000007
【図６】
2018079172.tif 000008
【図７】
2018079172.tif 000009
【図８】
2018079172.tif 000010
【図９】
2018079172.tif 000011
【図１０】
2018079172.tif 000012